(57)【要約】【課題】商品を段ボール製のカートンに収容して搬送する一方、搬送時の梱包状態からカートンの一側面を開梱し、商品が見える状態にして店舗内に陳列する際、複数のカートンを積載状態にしても荷崩れが生じないように、カートンに簡単な構成で補強構造を施すようにした陳列用段ボールカートンとして提供する。【解決手段】段ボール製による箱形状の一側面における両側に支柱部を残して開口部を開設した陳列用段ボールカートンにおいて、開口部の両側の支柱部の面上に合成樹脂製又は紙製のシート状補強材を接着し、常温硬化型のウレタン系又は樹脂系塗料を塗布し、又は両側の支柱部の波状芯材の空洞内に常温硬化型接着剤を流し込んで硬化させる。さらには、両側の支柱部と開口部の境界線で折り曲げた左右の折曲片を各支柱部の内側に折り込むことによって補強用の支柱とする。また、箱形状の上部の内フラップを箱形状の内側に折り曲げて左右の各側部に添わせる。【選択図】図１
2013060219.tif 000002
【特許請求の範囲】
【請求項１】
段ボール製による箱形状の一側面における両側に支柱部を残して開口部を開設した陳列用段ボールカートンにおいて、
少なくとも開口部の両側の支柱部の面上に合成樹脂製又は紙製のシート状補強材を接着したことを特徴とする陳列用段ボールカートン。
【請求項２】
段ボール製による箱形状の一側面における両側に支柱部を残して開口部を開設した陳列用段ボールカートンにおいて、
少なくとも開口部の両側の支柱部の面上に常温硬化型のウレタン系又は樹脂系塗料を塗布したことを特徴とする陳列用段ボールカートン。
【請求項３】
段ボール製による箱形状の一側面における両側に支柱部を残して開口部を開設した陳列用段ボールカートンにおいて、
開口部の両側の支柱部を形成する段ボールの波状芯材を縦方向に構成すると共に、該両側の支柱部の波状芯材の空洞内に常温硬化型接着剤を流し込んで硬化させたことを特徴とする陳列用段ボールカートン。
【請求項４】
段ボール製による箱形状の一側面における両側に支柱部を残して開口部を開設する構造において、開口部の中心を縦方向に切断すると共に、該開口部の上下線に沿って切断し、両側の支柱部と開口部の境界線で折り曲げた左右の折曲片を各支柱部の内側に折り込むことによって補強用の支柱としたことを特徴とする陳列用段ボールカートン。
【請求項５】
段ボール製による箱形状の一側面における両側に支柱部を残して開口部を開設した陳列用段ボールカートンにおいて、
箱形状の上部の内フラップを箱形状の左右の側面と略同様の形状に形成することにより、箱形状の開口部を開設した際に、上部の各内フラップを内側に折り曲げて左右の各側部に添わせるようにしたことを特徴とする陳列用段ボールカートン。
【発明の詳細な説明】
【技術分野】
【０００１】
本発明は、商品を段ボール製のカートンに収容して搬送する一方、搬送時の梱包状態からカートンの一側面を開梱し、商品が見える状態にして店舗内で陳列するようにした陳列用段ボールカートンに関する。
【背景技術】
【０００２】
従来から、段ボール製のカートン、所謂「段ボールカートン」は、食品や雑貨のみならず、多種多様な商品の輸送手段として広く用いられている。この段ボールカートンを使用した商品の具体的な流通形態としては、メーカーの生産段階で、段ボールカートンに特定商品を所定の数量だけ梱包すると共に、段ボールカートンの表面に商品名や流通コードを表示することによって、商品の生産から出荷、配送、店舗における陳列までの流通プロセスを合理的に処理することが可能となる。
【０００３】
また、この段ボールカートンは、上記のようにメーカーが出荷した後、最終的には小売段階で役割を終えて、その後は資源ゴミ等として処理され、再びメーカーに戻されることがないため、ゴミ処理の面でも合理的な手段である。
【０００４】
ところで、小売業の店舗においては、概ね、すべての商品が陳列棚に陳列されるものであり、カートンを開梱して商品を取り出した後、その商品を一つずつ陳列棚に並べる必要があり、そのための手間や人件費が要求されるものであった。
【０００５】
また、すでに、同一商品が陳列棚に残っているときは、それらを陳列棚からいったん取り出し、新たな商品を奥に並べ、その後、残っていた商品を前方に並べるという、所謂「先入先出」を行う必要があり、この作業にも、面倒な手間や人件費が要求されるものであった。
【０００６】
ところで、近年になって、上記のように商品を陳列棚に配列する手間や、人件費を削減するために、特許文献１に示すような陳列用段ボールカートンが開発されている。
【０００７】
この陳列用段ボールカートンは、特許文献１においては「ディスプレイカートン」と称しているものである。このようなカートンは、メーカーから搬送後、店舗に到着したとき、商品はカートンの中に入った状態にあるが、このカートンの片面に窓のような開口部を設けることによって、その開口部から内部の商品が見える状態にしたものである。
【０００８】
また、上記のように開口部を開けたカートンを陳列棚に並べることも可能であり、さらにこのカートンをパレット等の上部に積載することによって、大量販売を促進することも可能である。
【０００９】
一方、特許文献１に示すようなカートンの場合、開口部を切り欠いた分だけ、カートンの側面の強度が不足するため、このカートンを積載したとき、上部に積み重ねたカートンと物品の総重量が垂直方向の荷重として作用し、下方のカートンに変形を生じさせ、荷崩れを起こすことがあった。
【００１０】
なお、上記の特許文献１に記載されている構造においては、垂直方向の荷重に対する耐力を増強するため、別途補強板を設け、この補強板をカートンの内側に嵌め込む構成とされている。
【００１１】
しかしながら、箱形状を形成するカートンのほかに、補強板を別途必要とするため、その補強板の分だけコストが高騰し、さらにはその補強板の取り付け工程が必要となるものであった。また、特許文献１の構造は、別途用意した補強板をカートンの内部に嵌め込む構成であるため、この補強板が外れ易いという不都合があった。
【先行技術文献】
【特許文献】
【００１２】
【特許文献１】特開２００６−２７７３０号公報
【発明の概要】
【発明が解決しようとする課題】
【００１３】
本発明は、上記の事情に鑑みてなされたものであり、商品を段ボール製のカートンに収容して搬送する一方、搬送時の梱包状態からカートンの一側面を開梱し、商品が見える状態にして店舗内に陳列する際、複数のカートンを積載状態にしても荷崩れが生じないように、カートンに簡単な構成で補強構造を施すようにした陳列用段ボールカートンを提供することを目的とする。
【課題を解決するための手段】
【００１４】
上記の目的を達成するために、本発明における請求項１の陳列用段ボールカートンは、段ボール製による箱形状の一側面における両側に支柱部を残して開口部を開設した陳列用段ボールカートンにおいて、少なくとも開口部の両側の支柱部の面上に合成樹脂製又は紙製のシート状補強材を接着したことを特徴とする。
【００１５】
また、本発明における請求項２の陳列用段ボールカートンは、段ボール製による箱形状の一側面における両側に支柱部を残して開口部を開設した陳列用段ボールカートンにおいて、少なくとも開口部の両側の支柱部の面上に常温硬化型のウレタン系又は樹脂系塗料を塗布したことを特徴とする。
【００１６】
また、本発明における請求項３の陳列用段ボールカートンは、段ボール製による箱形状の一側面における両側に支柱部を残して開口部を開設した陳列用段ボールカートンにおいて、開口部の両側の支柱部を形成する段ボールの波状芯材を縦方向に構成すると共に、該両側の支柱部の波状芯材の空洞内に常温硬化型接着剤を流し込んで硬化させたことを特徴とする。
【００１７】
また、発明における請求項４の陳列用段ボールカートンは、段ボール製による箱形状の一側面における両側に支柱部を残して開口部を開設する構造において、開口部の中心を縦方向に切断すると共に、該開口部の上下線に沿って切断し、両側の支柱部と開口部の境界線で折り曲げた左右の折曲片を各支柱部の内側に折り込むことによって補強用の支柱としたことを特徴とする。
【００１８】
さらに、本発明における請求項５の陳列用段ボールカートンは、段ボール製による箱形状の一側面における両側に支柱部を残して開口部を開設した陳列用段ボールカートンにおいて、箱形状の上部の内フラップを箱形状の左右の側面と略同様の形状に形成することにより、箱形状の開口部を開設した際に、上部の各内フラップを内側に折り曲げて左右の各側部に添わせるようにしたことを特徴とする。
【発明の効果】
【００１９】
本発明の請求項１の段ボールカートンは、段ボール製による箱形状の一側面における両側に支柱部を残して開口部を開設した陳列用段ボールカートンにおいて、少なくとも開口部の両側の支柱部の面上に合成樹脂製又は紙製のシート状補強材を接着したものである。このような構成により、両側の支柱部の面上に接着された合成樹脂製又は紙製のシート状補強材が作用し、開口部の両側の支柱部及びその周辺領域が補強された構成となる。
【００２０】
また、本発明の請求項２の段ボールカートンは、段ボール製による箱形状の一側面における両側に支柱部を残して開口部を開設した陳列用段ボールカートンにおいて、少なくとも開口部の両側の支柱部の面上に常温硬化型のウレタン系又は樹脂系塗料を塗布したものである。このような構成により、両側の支柱部の面上に塗布された硬化後の常温硬化型のウレタン系又は樹脂系塗料が補強材として作用し、両側の支柱部及び支柱部の周辺が補強されることとなる。
【００２１】
また、本発明の請求項３の段ボールカートンは、段ボール製による箱形状の一側面における両側に支柱部を残して開口部を開設した陳列用段ボールカートンにおいて、開口部の両側の支柱部を形成する段ボールの波状芯材を縦方向に構成すると共に、該両側の支柱部の波状芯材の空洞内に常温硬化型接着剤を流し込んで硬化させたものである。このような構成により、両側の支柱部を形成する段ボールの波状芯材の空洞内で硬化した常温硬化型接着剤が補強材として作用し、両側の支柱部の垂直方向に対する強度が補強されることとなる。
【００２２】
また、本発明の請求項４の段ボールカートンは、段ボール製による箱形状の一側面における両側に支柱部を残して開口部を開設する構造において、開口部の中心を縦方向に切断すると共に、該開口部の上下線に沿って切断し、両側の支柱部と開口部の境界線で折り曲げた左右の折曲片を各支柱部の内側に折り込むことによって補強用の支柱としたものである。このような構成により、両側の支柱部の内側に折り込んだ折曲片が補強材として作用し、両側の支柱部の垂直方向に対する強度を補強することが可能となる。
【００２３】
さらに、本発明における請求項５の陳列用段ボールカートンは、段ボール製による箱形状の一側面における両側に支柱部を残して開口部を開設した陳列用段ボールカートンにおいて、箱形状の上部の内フラップを箱形状の左右の側面と略同様の形状に形成することにより、箱形状の開口部を開設した際に、上部の各内フラップを内側に折り曲げて左右の各側部に添わせるようにしたものである。このような構成により、箱形状の左右の各側部に添わせた上部の各内フラップが各側部の補強材として作用すると共に、両側の支柱部の垂直方向に対する強度を補強することが可能となる。
【図面の簡単な説明】
【００２４】
【図１】本発明による実施例１及び２の段ボールカートンから開口部を取り除いた状況を示す斜視図であり、内フラップの一部を除去した状況を示す。
【図２】本発明による実施例１及び２の段ボールカートンから開口部を取り除いた状況を示す斜視図であり、内フラップをそのまま残した状態を示す。
【図３】本発明による実施例１及び２の段ボールカートンの展開図である。
【図４】（ａ）は、本発明による実施例１及び２の段ボールカートンに使用した楔型カット目とカットテープを示す断面図であり、（ｂ）は楔型カット目とカットテープを設けた部位の平面図である。
【図５】（ａ）は本発明による実施例３の段ボールカートンの斜視図であり、（ｂ）は図５(ａ)のＡ−Ａ線断面図である。
【図６】本発明による実施例４の段ボールカートンの斜視図である。
【図７】本発明による実施例４の段ボールカートンの展開図である。
【図８】図６のＢ−Ｂ線断面図である。
【図９】本発明による実施例５の段ボールカートンの斜視図である。
【図１０】本発明による実施例５の段ボールカートンの展開図である。
【図１１】本発明による実施例５の段ボールカートンの他の展開図である。
【図１２】本発明による実施例５の段ボールカートンの組み立て状況を示す斜視図である。
【図１３】本発明による実施例５に関する図９のＣ−Ｃ線断面図である。
【発明を実施するための形態】
【００２５】
以下、本発明の実施例について図面を参照しながら説明する。
【実施例１】
【００２６】
本実施例の段ボールカートン１は、図１及び図２に示すように、段ボール製による箱形状の一側面における両側に支柱部２、２を残して開口部３を開設したものである。このような段ボールカートン１は、図３に示す段ボールの展開形状から組み立てることが可能である。
【００２７】
この段ボールの展開形状について詳細に述べると、図３に示すように、１枚の段ボールに形成され、組み立て後に正面となる長方形状の正面部４の側辺から左方に向けて順次、左側部５、背面部６、右側部７、糊代片８が夫々の折曲線９を介して形成されている。また、これらの正面部４、左側部５、背面部６、右側部７の夫々の上下辺には内フラップ１０と外フラップ１１が折曲線９を介して折り曲げ自在に形成されている。
【００２８】
さらに、図３に示すように、上記の展開形状の正面部４と該正面部４の上辺に連設された外フラップ１１の内側面の両側にカット用ミシン目１２、１２が形成されている。このカット用ミシン目１２は、上側の外フラップ１１の両側に幅の狭い係止片１３、１３を残すように形成され、この左右のカット用ミシン目１２、１２をそのまま直線状に正面部４の面内に延長すると共に、下側の外フラップ１１の折曲線１４の近傍にて、延長した左右のカット用ミシン目１２、１２の端部を帯状カット部１５で連結した構成としている。
【００２９】
この帯状カット部１５は、図４（ａ）、（ｂ）に示すように、楔型カット目１５ａを狭い間隔をあけて多数連設すると共に、この楔型カット目１５ａの連設方向に帯状のカットテープ１５ｂを接着したものである。このような構成により、片側のカットテープ１５ｂの端部を指先で摘まんで楔型カット目１５ａの方向へ引き上げると、楔型カット目１５ａの連設方向にカットテープ１５ｂに沿って帯状に切り裂かれることになる。
【００３０】
なお、図３において符号Ｄは、段ボールカートン１の内部を部分的に示すことによって段ボールの波状芯材１９の方向を示すものである。このように波状芯材１９を両側の支柱部２、２の高さ方向に形成することにより、箱形状の高さ方向の強度を確保することができ、特に開口部３の両側の支柱部２、２の強度を確保することが可能となる。
【００３１】
さらに、本実施例においては、少なくとも開口部３の両側の支柱部２、２の面上に合成樹脂製又は紙製のシート状補強材１６を接着した構成とされている。即ち、本実施例においては、図１、２、３に示す斜線部で示す領域に合成樹脂製又は紙製のシート状補強材１６として、プラスチックシール又はマニラボール紙を接着することによって、開口部３の両側の支柱部２、２及びその周辺領域の補強が施された構成とされている。
【００３２】
上記の図３に示す展開形状により、図１又は図２に示す段ボールカートン１の箱形状を組み立てることができる。なお、この段ボールカートン１の内部に物品を収容して保管及び輸送を行う際、開口部３は開けることなく、段ボールカートン１の外観は通常の箱形状のままである。
【００３３】
そして、商店等に陳列する際、店員等がカットテープ１５ｂの端部を指先で摘まんで楔型カット目１５ａの連設方向へ引き上げることによって楔型カット目１５ａを切開する。次いで、開口部３の両側のカット用ミシン目１２、１２に沿って、その内部の開口部３を切り離すと、正面部４とその天井側に連続的に開口部３が形成され、内部の物品が見える状態となる。
【００３４】
なお、図１は、段ボールカートン１の内フラップ１０の一部を除去することによって、開口部３の天井側に内フラップ１０が見えない外観にしたものである。このためには、図３に示す展開図において、左右の側部５、７の上側の内フラップ１０の角部にカット用のミシン目１２ａを設け、店舗等へ陳列する際に、ミシン目１２ａに沿って内フラップ１０の角部を矩形に除去することにより、図１に示すように開口部３に内フラップ１０が見えない段ボールカートン１が形成される。
【００３５】
一方、図２に示す段ボールカートン１は、上記の内フラップ１０の一部を除去せず、開口部３の上部に内フラップ１０の一部が見える外観にしたものである。なお、段ボールカートン１を上方に積み上げる際には、開口部３の上部に内フラップ１０の一部が見える状況であっても外観上はさほど問題がない。
【００３６】
しかしながら、段ボールカートン１を積み上げることなく陳列する際、又は積み上げた最上部の段ボールカートン１においては、図１に示すように、段ボールカートン１の内フラップ１０の一部を除去し、開口部３の内部に内フラップ１０の一部が見えない状況とすることによって、外観的にも好ましい印象を与えるものとなる。
【実施例２】
【００３７】
この実施例の陳列用段ボールカートン１は、外観的には図１に示す箱形状と同様であって、展開形状及び組み立て後の開口部３の形状もまた実施例１と同様に形成することが可能である。
【００３８】
本実施例は、図１又は図２に示す段ボールカートン１において、少なくとも開口部３の両側の支柱部２、２の面上に常温硬化型のウレタン系又は樹脂系塗料１７を塗布したものである。即ち、図１又は図２に示す段ボールカートン１において、斜線を示す箇所に常温硬化型のウレタン系又は樹脂系塗料１７を塗布することによって、硬化後の両側の支柱部２、２及び支柱部２、２の周辺が補強されることとなる。
【実施例３】
【００３９】
この実施例の陳列用段ボールカートン１もまた、図５（ａ）に示すように、外観的には図１に示す箱形状と同様であり、展開形状及び組み立て後の開口部３の形状もまた実施例１と同様に形成することが可能である。
【００４０】
本実施例は、図５（ａ）に示す段ボールカートン１において、開口部３の両側の支柱部２、２を形成する段ボール１８の波状芯材１９を両側の支柱部２、２の高さ方向に構成すると共に、図５(ｂ)に示すように、両側の支柱部２、２の波状芯材１９の空洞内に常温硬化型接着剤２０を流し込んで硬化させたものである。
【００４１】
即ち、図５（ａ）に示す段ボールカートン１の展開形状の形成時又は形成後において、開口部３の両側の支柱部２、２を形成する段ボール１８の波状芯材１９の空洞内に常温硬化型接着剤２０を流し込んで硬化させることによって、波状芯材１９の空洞内に棒状に硬化した接着剤２０が接着された状況となり、硬化後の両側の支柱部２、２及び支柱部２、２の周辺が特に垂直方向に対して補強されることとなる。
【実施例４】
【００４２】
この実施例の陳列用段ボールカートン１もまた、図６に示すように、外観的には図１に示す箱形状と略同様であるが、展開形状の正面部４の開口部３の構成が異なるものである。
【００４３】
本実施例の展開形状は、図７に示すように、正面部４の形状以外は全体的に図３に示す展開形状と同様である。ただし、正面部４の両側に支柱部２、２を残して開口部３を開設する際、開口部３の帯状カット部１５を切断すると共に、開口部３の中心線１２ｂと開口部３の底辺をなす切離線１２ｃに沿って切断する。次いで、両側の支柱部２、２と開口部３との境界線３ａと、開口部３の内方に形成した折曲線３ｂとで左右の折曲片２１を各支柱部２、２の内側に折り込む構成としたものである。
【００４４】
なお、上記の折曲片２１を各支柱部２、２の内側に折り込む作業は、店舗等において、店員等が開口部３を開封した後に、段ボールカートン１の積み上げ状況等に応じて、図８に示すように、両側の折曲片２１、２１を各支柱部２、２の内側に折り込むことによって形成されるものである。このような構成により、開口部３の両側の支柱部２、２が補強され、特に垂直方向に対する荷重に強い構造となる。
【００４５】
なお、図６に示すように、左右の折曲片２１、２１の下部に隙間が生じる場合、図７に示すように、下側の内フラップ１０の角部に帯状の切込部２２を形成し、左右の折曲片２１、２１を形成する際に、内フラップ１０の切込部２２を図６、図８に示すように巻き込むことによって、各折曲片２１の下部の下敷きとして用いることができる。これによって、左右の折曲片２１の下部に生じた隙間を充填することが可能となり、各折曲片２１の支持力を確保することが可能となる。
【実施例５】
【００４６】
この実施例の陳列用段ボールカートン１もまた、図９に示すように、外観的には図１に示す箱形状と略同様であるが、展開形状における上部の内フラップ等の構成が異なるものである。
【００４７】
即ち、本実施例の展開形状は、図１０に示すように、正面部４の両側に折曲線９を介して左右の側面部として左側部５と右側部７が形成されると共に、左側部５の側部に折曲線９を介して背面部６が形成され、さらに背面部６の側部に折曲線９を介して糊代片８が形成されている。
【００４８】
さらに、本実施例においては、箱形状の上部の各内フラップ１０ａ、１０ｂを左右の各側部５、７と略同様の形状に形成することにより、図１２に示すように、上部の各内フラップ１０ａ、１０ｂを箱形状の内側に折り曲げて、図９又は図１３に示すように、各内フラップ１０ａ、１０ｂを左右の各側部５、７に添わせる構成としている。このような構成において、図１０に示すように、左右の各側部５、７と上部の各内フラップ１０ａ、１０ｂとの間には幅の狭い天井部２３、２３を介して二重の折曲線９、９が形成されている。
【００４９】
このような構成により、箱形状の開口部３を開設した際に、上部の各内フラップ１０ａ、１０ｂを箱形状の内側に折り曲げて左右の各側部５、７に添わせることによって、上部の内フラップ１０ａ、１０ｂが各側部５、７の補強材として作用し、両側の支柱部２、２の垂直方向に対する強度を補強することが可能となる。
【００５０】
なお、上部の各内フラップ１０ａ、１０ｂの外端に半円形の切欠き部２５を形成してあり、各内フラップ１０ａ、１０ｂを各側部５、７に添わした状態から上方へ持ち上げる際に、切欠き部２５に指先を引っ掛けることによって、この持ち上げる作業を容易に行うことが可能となる。
【００５１】
また、上記のように、左右の各側部５、７と上部の各内フラップ１０ａ、１０ｂとの間に幅の狭い天井部２３、２３を形成することによって、両側の係止片１３、１３を箱形状の天井部２３、２３に折り曲げた際、各係止片１３が各天井部２３、２３に係止され、安定した状態となる。
【００５２】
また、図１１に示す展開図は、本実施例の段ボールカートン１を大型に形成する際、段ボールの原紙の面積が不足するのを補うために、図１０に示す段ボールカートン１の展開形状を二分割したものである。そして、図１１に示すように、正面部４の側部に折曲線９を介して糊代片８を形成し、この糊代片８を他方の展開形状の左側部５の端部に接着して一体化する。
【００５３】
また、図１０と図１１の展開図において、上部の内ラップ１０ａ、１０ｂの両側に折込片２４、２４を形成してもよい。この折込片２４、２４は、上部の各内フラップ１０ａ、１０ｂを内側に折り曲げて左右の各側部５、７に添わせる際に、各折込片２４、２４を折り曲げ、図９に示すように、各折込片２４、２４が正面部４と背面部６に圧迫されることによって、上部の内ラップ１０ａ、１０ｂを左右の各側部５、７に添わせた状態におけるストッパーとして機能するようにしている。
【産業上の利用可能性】
【００５４】
本発明の陳列用段ボールカートンは、商品を段ボール製のカートンに収容して搬送する一方、搬送時の梱包状態からカートンの一側面を開梱し、商品が見える状態にして店舗内に陳列する際、複数のカートンを積載状態にしても荷崩れが生じないように、カートンに簡単な構成で補強構造を施すようにした陳列用段ボールカートンとして利用可能である。
【符号の説明】
【００５５】
１  段ボールカートン
２  支柱部
３  開口部
３ａ  境界線
３ｂ  折曲線
４  正面部
５  左側部
６  背面部
７  右側部
８  糊代片
９  折曲線
１０  内フラップ
１０ａ、１０ｂ  上部の内フラップ
１１  外フラップ
１２  カット用ミシン目
１２ａ  ミシン目
１２ｂ  中心線
１２ｃ  切離線
１３  係止片
１４  折曲線
１５  帯状カット部
１５ａ  楔型カット目
１５ｂ  カットテープ
１６  シート状補強材
１７  塗料
１８  段ボール
１９  波状芯材
２０  接着剤
２１  折曲片
２２  切込部
２３  天井部
２４  折込片
２５  切欠き部
Ｂ  物品
Ｄ  波状芯材を示す断面部
【図１】
2013060219.tif 000003
【図２】
2013060219.tif 000004
【図３】
2013060219.tif 000005
【図４】
2013060219.tif 000006
【図５】
2013060219.tif 000007
【図６】
2013060219.tif 000008
【図７】
2013060219.tif 000009
【図８】
2013060219.tif 000010
【図９】
2013060219.tif 000011
【図１０】
2013060219.tif 000012
【図１１】
2013060219.tif 000013
【図１２】
2013060219.tif 000014
【図１３】
2013060219.tif 000015